(57)【要約】【課題】通信端末装置からダイヤルイン番号の通知が可能とされた回線切換装置及びダイヤル番号登録方法に関し、簡単な操作でダイヤルイン番号を登録できる回線切換装置及びダイヤルイン番号登録方法を提供することを目的とする。【解決手段】本発明は、回線が接続される回線ポートと、端末装置が接続される端末ポートと有し、回線ポートに供給されるダイヤルイン番号に基づいて回線ポートと端末ポートとの接続を切り換える回線切換装置であって、回線ポートに供給されたダイヤルイン番号に基づいて端末ポートを呼び出し、呼び出された端末ポートのうち応答があった端末ポートとダイヤルイン番号とを対応させてダイヤルイン番号登録部に登録するようにした。【選択図】　図４
2004135150.tif 000002
【特許請求の範囲】
【請求項１】
回線が接続される回線ポートと、端末装置が接続される端末ポートと有し、該回線ポートに供給されるダイヤルイン番号に基づいて該回線ポートと該端末ポートとの接続を切り換える回線切換装置であって、
前記端末ポートに対応させて前記ダイヤルイン番号が登録されたダイヤルイン番号登録部と、
前記回線ポートに供給されたダイヤルイン番号に基づいて端末ポートを呼び出し、応答があった端末ポートとダイヤルイン番号とを対応させて前記ダイヤルイン番号登録部に登録する登録制御手段とを有することを特徴とする回線切換装置。
【請求項２】
前記登録制御手段は、前記回線ポートに供給されたダイヤルイン番号と前記ダイヤルイン番号登録部に登録されたダイヤルイン番号とを比較するダイヤルイン番号比較部と、
前記ダイヤルイン番号比較部での比較結果、一致する回線ポートが検出されたときには、比較結果が一致する端末ポートを呼び出し、前記ダイヤルイン番号比較部での比較結果、一致する端末ポートが検出されないときには、全ての端末ポートを呼び出す呼出制御手段と、
前記呼出制御手段により全ての端末ポートが呼び出されたとき、応答があった端末ポートに対して前記ダイヤルイン番号を前記ダイヤルイン番号登録部に登録する登録制御手段とを有することを特徴とする請求項１記載の回線切換装置。
【請求項３】
前記登録制御手段は、前記回線ポートに供給されたダイヤルイン番号と前記ダイヤルイン番号登録部に登録されたダイヤルイン番号とを比較するダイヤルイン番号比較部と、
前記ダイヤルイン番号比較部での比較結果が不一致の端末ポートを呼び出す呼出制御手段と、
前記呼出制御手段により呼び出された端末ポートのうち応答があった端末ポートに対して前記ダイヤルイン番号を前記ダイヤルイン番号登録部に登録する登録制御手段とを有することを特徴とする請求項１記載の回線切換装置。
【請求項４】
前記端末ポートの応答は、前記端末ポートと通信を行う端末装置によるオフフックの信号であることを特徴とする請求項１乃至３記載の回線切換装置。
【請求項５】
回線が接続される回線ポートと、端末装置が接続される端末ポートと有し、該回線ポートに供給されるダイヤルイン番号に基づいて該回線ポートと該端末ポートとの接続を切り換える回線切換装置のダイヤルイン番号登録方法であって、
前記端末ポートに対応させて前記ダイヤルイン番号が登録されたダイヤルイン番号登録部と、
前記回線ポートに供給されたダイヤルイン番号に基づいて端末ポートを呼び出す呼出手順と、
前記呼出手順で呼び出された端末ポートのうち応答があった端末ポートとダイヤルイン番号とを対応させて前記ダイヤルイン番号を登録する登録手順とを有することを特徴とする回線切換装置のダイヤルイン番号登録方法。
【請求項６】
前記呼出手順は、前記回線ポートに供給されたダイヤルイン番号と予め登録されたダイヤルイン番号とを比較し、一致する回線ポートが検出されたときには、比較結果が一致する端末ポートを呼び出し、前記比較結果が一致する端末ポートが検出されないときには、全ての端末ポートを呼び出すことを特徴とする請求項５記載の回線切換装置のダイヤルイン番号登録方法。
【請求項７】
前記呼出手順は、前記回線ポートに供給されたダイヤルイン番号と予め登録されたダイヤルイン番号とを比較し、比較結果が不一致の端末ポートを呼び出すことを特徴とする請求項５記載の回線切換装置のダイヤルイン番号登録方法。
【請求項８】
前記端末ポートの応答は、前記端末ポートと通信を行う端末装置によるオフフックの信号であることを特徴とする請求項５乃至７記載の回線切換装置のダイヤルイン番号登録方法。
【発明の詳細な説明】
【０００１】
【発明の属する技術分野】
本発明は回線切換装置及びダイヤル番号登録方法に係り、特に、通信端末装置からダイヤルイン番号の通知が可能とされた回線切換装置及びダイヤル番号登録方法に関する。
【０００２】
【従来の技術】
従来、親局と特定子局との間で送受信を行うようにした通信装置における各子局に対するダイヤルイン番号の登録方法において、いずれかの子局からダイヤルイン番号の登録モードの設定信号を親局に送信して親局をダイヤルイン番号の登録モードに設定し、次に、その子局のダイヤルイン番号をその子局から親局に通信することにより、親局にダイヤルイン番号を登録する方法が提案されている（例えば、特許文献１参照。）。
【０００３】
【特許文献１】
特開平１１−８８９２７号公報（段落番号〔０００９〕、〔００１０〕、図２）
【発明が解決しようとする課題】
しかるに、従来の回線切換装置は、親局をダイヤルイン番号の登録モードに設定し、その子局のダイヤルイン番号をその子局から親局に通信することにより、親局にダイヤルイン番号を登録するため、操作が煩雑であり、ダイヤルイン番号の登録が面倒であった。
【０００４】
本発明は上記の点に鑑みてなされたもので、簡単な操作でダイヤルイン番号を登録できる回線切換装置及びダイヤルイン番号登録方法を提供することを目的とする。
【０００５】
【課題を解決するための手段】
本発明は、回線が接続される回線ポートと、端末装置が接続される端末ポートと有し、回線ポートに供給されるダイヤルイン番号に基づいて回線ポートと端末ポートとの接続を切り換える回線切換装置であって、回線ポートに供給されたダイヤルイン番号に基づいて端末ポートを呼び出し、呼び出された端末ポートのうち応答があった端末ポートとダイヤルイン番号とを対応させてダイヤルイン番号登録部に登録することを特徴とする。
【０００６】
本発明によれば、回線ポートに供給されたダイヤルイン番号に基づいて端末ポートを呼び出し、呼び出された端末ポートのうち応答があった端末ポートとダイヤルイン番号とを対応させてダイヤルイン番号登録部に登録することにより、回線ポートに登録すべきダイヤルイン番号が供給され、端末ポートが呼び出された後、呼出のあった端末ポートと通信可能とされた端末装置が例えばオフフックされ、端末ポートに応答を行うことにより、その端末ポートへのダイヤルイン番号の登録を行うことができるため、ダイヤルイン番号の登録を容易に行える。
【０００７】
【発明の実施の形態】
図１は本発明の一実施例のシステム構成図を示す。
【０００８】
本実施例の回線切換装置１は、一般電話回線網２と電話機などの端末装置３−１〜３−ｎとの間に設けられており、一般電話回線網２から着信時に供給されるダイヤルイン番号に基づいて端末装置３−１〜３−ｎのいずれかを一般電話回線網２に選択的に接続させる。
【０００９】
図２は回線切換装置１のブロック構成図を示す。
【００１０】
回線切換装置１は、着信検出部１１、極性監視回路１２、リレー駆動回路１３、リレー１４、１５−１〜１５−ｎ、トランス１６、モデム１７、波形整形回路１８、話中音送出部１９、電流供給回路２０、ループ検出回路２１、制御回路２２、メモリ２３、初期化スイッチ２４、表示部２５を含む構成とされている。
【００１１】
着信検出部１１は、回線ポートＰｉｎに接続されている。回線ポートＰｉｎに着信信号が供給されると、コンデンサＣ及び抵抗Ｒを介して、フォトカプラ３１のダイオード側に電流が流れ、フォトカプラ３１のトランジスタがオン、オフする、着信検出回路３２は、フォトカプラ３１のトランジスタのオン、オフを矩形波に変換し、制御回路２２に通知する。制御回路２２は、着信検出回路３２の通知を監視して、着信の有無を判定する。
【００１２】
極性監視回路１２は、回線ポートＰｉｎに接続されており、回線ポートＰｉｎの極性の反転を検出し、制御回路２２に通知する。リレー駆動回路１３は、制御回路２２に接続されており、制御回路２２から供給されるリレー制御信号に基づいてリレー１４、１５−１〜１５−ｎを駆動する。
【００１３】
リレー１４は、回線ポートＰｉｎとトランス１６との間に設けられ、リレー駆動回路１３からのリレー駆動信号に応じて回線ポートＰｉｎとトランス１６との接続をスイッチングする。リレー１５−１は、回線ポートＰｉｎ及び話中音送出部１９と端末ポートＰｏｕｔ１との間に設けられ、リレー駆動回路１３からのリレー駆動信号に応じて端末ポートＰｏｕｔ１が回線ポートＰｉｎ又は話中音送出部１９のいずれかに接続されるようにスイッチングされる。リレー１５−ｎは、回線ポートＰｉｎ及び話中音送出部１９と端末ポートＰｏｕｔＮとの間に設けられ、リレー駆動回路１３からのリレー駆動信号に応じて端末ポートＰｏｕｔＮが回線ポートＰｉｎ又は話中音送出部１９のいずれかに接続されるようにスイッチングされる。
【００１４】
トランス１６は、モデム１７及び波形整形回路１８と回線ポートＰｉｎとの間に接続され、モデム１７及び波形整形回路１８と回線ポートＰｉｎとを絶縁状態で、結合する。モデム１７は、トランス１６と制御回路２２との間に設けられ、回線ポートＰｉｎと制御回路２２との間で通信データを交換する。波形形成回路１８は、トランス１６と制御回路２２との間に設けられ、回線ポートＰｉｎからのパルスを波形整形して制御回路２２に供給する。
【００１５】
話中音送出部１９は、リレー１５−１〜１５−ｎと制御回路２２との間に設けられ、回線ポートＰｉｎと端末ポートＰｏｕｔ１〜ＰｏｕｔＮが相互に通話中に、端末ポートＰｏｕｔＮ以外の端末ポートのオフフックを制御回路２２が検出したとき、制御回路２２からの指示に基づいてオフフックした端末ポートに話中音を送出する。電流供給回路２０は、端末ポートＰｏｕｔ１〜ＰｏｕｔＮに接続されており、回線ポートＰｉｎと端末ポートＰｏｕｔ１〜ＰｏｕｔＮとの切断時に、端末ポートＰｏｕｔ１〜ＰｏｕｔＮに電流を供給する。
【００１６】
ループ検出回路２１は、リレー１５−１〜１５−ｎと端末ポートＰｏｕｔ１〜ＰｏｕｔＮとの間に接続され、各端末ポートＰｏｕｔ１〜ＰｏｕｔＮのループを検出し、制御回路２２に通知する。
【００１７】
メモリ２３は、ＥＥＰＲＯＭ（ｅｌｅｃｔｒｉｃａｌｌｙ　ｅｒａｓａｂｌｅ　ａｎｄ　ｐｒｏｇｒａｍｍａｂｌｅ　ＲＯＭ）から構成されており、端末ポートＰｏｕｔ１〜ＰｏｕｔＮに対応するダイヤルイン番号を登録するためのダイヤルイン番号テーブル２３ａが設けられている。
【００１８】
図３はダイヤルイン番号テーブル２３ａのデータ構成図を示す。
【００１９】
ダイヤルイン番号テーブル２３ａには、端末ポートＰｏｕｔ１〜ＰｏｕｔＮの番号Ｐ１〜ＰＮ毎にダイヤルイン番号のデータＤｉｎ１〜ＤｉｎＮが記憶された構成とされている。なお、ダイヤルイン番号が未登録時及び初期化時には、例えば、全て「＊」から構成されるデータが記憶されている。
【００２０】
制御回路２２は、回線ポートＰｉｎに供給されたダイヤルイン番号に基づいてダイヤルイン番号テーブル２３ａを参照して、供給されたダイヤルイン番号に対応する端末ポートＰｏｕｔｉを検索する。制御回路２２は、検索結果に基づいてリレー駆動回路１３にリレー制御信号を供給し、回線ポートＰｉｎと検索された端末ポートＰｏｕｔｉとが接続されるようにリレー１４、１５−１〜１５−ｎを制御する。
【００２１】
初期化スイッチ２３は、回線切換装置１の状態を初期化するためのスイッチであり、例えば、ダイヤルイン番号テーブル２３ａのダイヤルイン番号のデータがすべて「＊」とされる。すなわち、ダイヤルイン番号が未登録状態とされる。また、制御回路２２には、初期化スイッチ２３、メモリ２４、表示部２５が接続されている。表示部２５は、ＬＥＤなどから構成され、制御回路２２からの表示制御信号に基づいて点灯或いは消灯して、装置の状態を表示する。
【００２２】
次に回線切換装置１のダイヤルイン番号の登録動作について説明する。
【００２３】
図４は回線切換装置１の登録動作時フローチャートを示す。
【００２４】
制御回路２２は、ステップＳ１−１で回線ポートＰｉｎからダイヤルイン番号が供給されると、ステップＳ１−２でダイヤルイン番号テーブル２３ａを検索し、一致するダイヤルイン番号が登録済か否かを判定する。
【００２５】
制御回路２２は、ステップＳ１−２で回線ポートＰｉｎから供給されたダイヤルイン番号が未登録の場合、ステップＳ１−３でリレー駆動回路１３を制御し、回線ポートＰｉｎと全端末ポートＰｏｕｔ１〜ＰｏｕｔＮとを接続させ、全端末ポートＰｏｕｔ１〜ＰｏｕｔＮにリンガ信号を供給する。
【００２６】
次に制御回路２２は、ステップＳ１−４でループ検出回路２１からの通知を監視して、端末ポートＰｏｕｔ１〜ＰｏｕｔＮからの応答があったか否か、すなわち、端末ポートＰｏｕｔ１〜ＰｏｕｔＮに接続された端末装置３−１〜３−ｎのうちのいずれかの端末装置３−ｉがオフフックされたか否かを判定する。
【００２７】
制御回路２２は、ステップＳ１−４で端末ポートＰｏｕｔ１〜ＰｏｕｔＮのうちの所定の端末ポートＰｏｕｔｉから応答があり、ステップＳ１−５で端末ポートＰｏｕｔｉに接続された端末装置３−ｉが回線ポートＰｉｎから着信した端末装置とで相互通話可能となると、ステップＳ１−６でダイヤルイン番号テーブル２３ａの端末ポートＰｏｕｔｉに対応して、着信中の端末装置によりダイヤルされたダイヤルイン番号を登録する。
【００２８】
制御回路２２は、ステップＳ１−７で端末ポートＰｏｕｔｉに接続された端末装置３−ｉがオフフックされると、次にステップＳ１−１に戻って待機状態となる。
【００２９】
上記動作を繰り返すことにより、ダイヤルイン番号を登録できる。このとき、登録しようとするダイヤル番号にダイヤルして、このとき鳴動した端末装置３−ｉをオフフックするだけで、端末装置３−ｉに登録しようとするダイヤルイン番号を登録することができる。従って、設定作業者は、初期状態で、ダイヤルイン番号を登録しようとする端末装置３−ｉの近くで、携帯電話などによりダイヤルイン番号をダイヤルし、端末装置３−ｉが鳴動した後に、端末装置３−ｉをオフフックすることにより端末装置３−ｉに所望のダイヤルイン番号を登録することができる。このように、モードの切換が不要であり、ディプスイッチなどの切換が不要であり、ダイヤルとオフフックだけで登録が行えるため、設定作業が容易に行える。また、ステップＳ１−５で相互通話が行われると、ステップｓ１−６で登録が行われるので、通話試験も同時に実行できる。よって、登録作業の作業効率を向上させることができる。
【００３０】
また、制御回路２２は、ステップＳ１−２でダイヤルイン番号テーブル２３ａの検索結果、回線ポートＰｉｎから供給されたダイヤルイン番号がダイヤルイン番号テーブル２３ａに既に登録されている場合には、ステップＳ１−８でリレー駆動回路１３を制御し、回線ポートＰｉｎから供給されたダイヤルイン番号が登録された端末ポートＰｏｕｔｉを呼び出す。
【００３１】
制御回路２２は、ステップＳ１−９でループ検出回路２１からの通知を監視して、端末ポートＰｏｕｔｉから応答、すなわち、端末ポートＰｏｕｔｉに接続された端末装置３−ｉがオフフックされたか否かを判定する。制御回路２２は、ステップＳ１−９で端末ポートＰｏｕｔｉから応答があると、ステップＳ１−１０でリレー駆動回路１３を制御して、リレー１４、１５−ｉを駆動し、端末装置３−ｉと回線ポートＰｉｎに着信した端末装置とで相互通話を可能に制御する。
【００３２】
制御回路２２は、ステップＳ１−１１でループ検出回路２１からの通知により、端末装置３−ｉがオフフックされたことを認識すると、ステップＳ１−１に戻って、待機状態となる。
【００３３】
なお、本実施例では、着信したダイヤルイン番号が未登録の場合、リレー駆動回路１３を制御し、回線ポートＰｉｎと全端末ポートＰｏｕｔ１〜ＰｏｕｔＮとを接続し、全端末ポートＰｏｕｔ１〜ＰｏｕｔＮにリンガ信号を供給し、全端末装置３−１〜３−Ｎを鳴動させたが、着信したダイヤルイン番号と一致しないダイヤルイン番号が登録された端末ポートＰを鳴動させるようにしてもよい。
【００３４】
図５は回線切換装置１の登録動作時の変形例のフローチャートを示す。同図中、図４と同一処理部分には同一符号を付し、その説明は省略する。
【００３５】
本変形例では、制御回路２２は、ステップＳ１−２で回線ポートＰｉｎに着信したダイヤルイン番号とが登録されていない場合、ステップＳ２−３でリレー駆動回路１３を制御し、ダイヤルイン番号テーブル２３ａ中、ダイヤルイン番号が未登録の端末ポートに接続された端末装置を鳴動させる。すなわち、ダイヤルイン番号テーブル２３のダイヤルイン番号がすべて「＊」とされた端末ポートにリンガ信号を供給する。
【００３６】
本変形例によれば、ダイヤルイン番号が登録されていない端末ポートに接続された端末装置を鳴動させ、ダイヤルイン番号を登録することができる。
【００３７】
【発明の効果】
上述の如く、本発明によれば、回線ポートに供給されたダイヤルイン番号に基づいて端末ポートを呼び出し、呼び出された端末ポートのうち応答があった端末ポートとダイヤルイン番号とを対応させてダイヤルイン番号登録部に登録することにより、回線ポートに登録すべきダイヤルイン番号が供給され、端末ポートが呼び出された後、呼出のあった端末ポートと通信可能とされた端末装置が例えばオフフックされ、端末ポートに応答を行うことにより、その端末ポートへのダイヤルイン番号の登録を行うことができるため、ダイヤルイン番号の登録を容易に行えるなどの特長を有する。
【図面の簡単な説明】
【図１】本発明の一実施例のシステム構成図である。
【図２】回線切換装置１のブロック構成図である。
【図３】ダイヤルイン番号テーブル２３ａのデータ構成図である。
【図４】回線切換装置１の登録動作時フローチャートである。
【図５】回線切換装置１の登録動作時の変形例のフローチャートである。
【符号の説明】
１　回線切換装置、２　一般電話回線網、３−１〜２−ｎ　端末装置
１１　着信検出部、１２　極性監視回路、１３　リレー駆動回路
１４、１５−１〜１５−ｎ　リレー、１６　トランス、１７　モデム
１８　波形整形回路、１９　話中音送出部、２０　電流供給回路
２１　ループ検出回路、２２　制御回路、２３　メモリ
２３ａ　ダイヤルイン番号テーブル、２４　初期化スイッチ、２５　表示部
【図１】
2004135150.tif 000003
【図２】
2004135150.tif 000004
【図３】
2004135150.tif 000005
【図４】
2004135150.tif 000006
【図５】
2004135150.tif 000007